Podtech/llm-jp-corpus-v4-ja_patent huggingface dataset:
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内に位置する蛍光カメラと、
前記ハウジング内に位置する白色光カメラと、
前記ハウジング内に位置する蛍光光源と、
切片作製装置のチャンバ内で前記ハウジングを、前記カメラおよび前記蛍光光源が前記チャンバ内で保定された組織標本のブロック面に向けられるように支持するように構成された、前記チャンバの床面上で取り外し自在に位置決め可能である支持台と
を含む、蛍光組織断層撮影（ＦＨＴ）システム。
【請求項２】
プロセスを実行するように構成されたプロセッサと、前記プロセッサによって実行される前記プロセスを記憶するメモリとを含む処理回路であって、前記プロセスは、実行されると、
前記白色光カメラを、前記チャンバ内で保定された組織標本のブロック面の白色光画像を取り込むよう制御し、
前記蛍光カメラを、白色光および蛍光照明の下で前記ブロック面の蛍光画像を取り込むように制御し、
前記白色光画像と前記蛍光画像とを位置合わせして合成画像を形成し、
前記合成画像を電子ディスプレイに提供する
ように動作する、前記処理回路
をさらに含む、請求項１に記載のＦＨＴシステム。
【請求項３】
前記プロセスは、実行されると、
前記白色光カメラおよび前記蛍光カメラを、前記ブロック面の前記白色光画像と前記蛍光画像とを同時に取り込むように制御する
ようにさらに動作する、請求項２に記載のＦＨＴシステム。
【請求項４】
加圧ガスを貯蔵するガスボンベと、
配管を介して前記ガスボンベに結合されたノズルであって、前記切片作製装置の前記チャンバ内で前記ノズルを前記組織標本向けるように位置決め可能な前記ノズルと、
前記加圧ガスの流れを、前記ノズルを介して前記チャンバ内の前記組織標本の方へ制御する前記配管に結合された制御機構と
をさらに含む、請求項１に記載のＦＨＴシステム。
【請求項５】
前記組織標本に挿入するための１つまたは複数の多色基準点
をさらに含む、請求項１に記載のＦＨＴシステム。
【請求項６】
前記ハウジングは可搬型であり、前記ハウジングは、ユーザが前記チャンバ内で前記ハウジングを取り外し自在に位置決めすることを可能にするハンドルをさらに含む、請求項１に記載のＦＨＴシステム。
【請求項７】
前記切片作製装置はクライオミクロトームを含む、請求項１に記載のＦＨＴシステム。
【請求項８】
前記組織標本を保定するように構成された組織チャンバと、
前記組織チャンバと係合するように構成された基準点位置決め装置であって、基準点を前記組織チャンバ内で保定された前記組織標本に挿入するための複数の開口を形成している前記基準点位置決め装置と
をさらに含む、請求項１に記載のＦＨＴシステム。
【請求項９】
前記蛍光カメラは、前記組織標本の前記ブロック面が前記蛍光光源で照明されたときに、約２００ｎｍから１０００ｎｍの範囲の波長で前記組織標本内の蛍光体の存在を検出するように構成されている、請求項１に記載のＦＨＴシステム。
【請求項１０】
切片作製装置のチャンバ内に取り付けられた、前記チャンバの床面と接する支持台を使用して前記チャンバ内に取り付けられる撮像装置が、前記チャンバ内で保定された組織標本のブロック面の白色光画像を取り込むステップと、
前記撮像装置が、白色光および蛍光照明の下で前記ブロック面の蛍光画像を取り込むステップと、
前記撮像装置が、前記白色光画像と前記蛍光画像とを位置合わせして合成画像を形成するステップと、
前記撮像装置が、前記合成画像を電子ディスプレイに提供するステップと
を含む、蛍光組織断層撮影（ＦＨＴ）を行う方法。
【請求項１１】
前記白色光画像と前記蛍光画像とは前記撮像装置によって同時に取得される、請求項１０に記載の方法。
【請求項１２】
前記白色光画像は前記撮像装置の白色光カメラによる取り込みであり、前記蛍光画像は前記撮像装置の蛍光カメラによる取り込みである、請求項１０に記載の方法。
【請求項１３】
前記白色光照明は周囲光を含む、請求項１０に記載の方法。
【請求項１４】
前記切片作製装置を、前記組織標本の第２のブロック面を露出させるように手動で操作するステップと、
前記撮像装置が、前記露出した第２のブロック面の合成白色光蛍光画像を生成するステップと
をさらに含む、請求項１０に記載の方法。
【請求項１５】
白色光の下で前記ブロック面の高解像度画像を取り込むステップと、
前記高解像度画像を前記白色光画像に位置合わせするステップと
をさらに含む、請求項１０に記載の方法。
【請求項１６】
前記撮像装置が、低周囲光条件の下で前記ブロック面の第２の蛍光画像を取り込むステップと、
前記撮像装置が、前記第２の蛍光画像を白色光および蛍光照明の下で取り込まれた前記蛍光画像と位置合わせするステップと
をさらに含む、請求項１０に記載の方法。
【請求項１７】
可搬型のハウジングであって、切片作製装置のチャンバ内でユーザが前記ハウジングを取り外し自在に位置決めすることを可能にするハンドルを有する、可搬型のハウジングと、
前記ハウジング内に位置する蛍光カメラと、
前記ハウジング内に位置する白色光カメラと、
前記ハウジング内に位置する蛍光光源と、
前記チャンバ内で前記ハウジングを、前記カメラおよび前記蛍光光源が前記チャンバ内で保定された組織標本のブロック面に向けられるように支持するように構成された支持台と
を含む、蛍光組織断層撮影（ＦＨＴ）システム。
【請求項１８】
白色光画像と蛍光画像とがそれぞれ前記白色光カメラと前記蛍光カメラによって同時に取得される、請求項１７に記載のＦＨＴシステム。
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
サンプリングされたエアロゾル粒子をコーティングする方法であって、
コーティング材料をエアロゾル化して、液体粒子を有する第１のエアロゾルを形成するステップと、
検体粒子を有するサンプリングされたエアロゾルを提供して第２のエアロゾルを形成するステップと、
上記第１のエアロゾルおよび上記第２のエアロゾルを受け取るための音響コータを提供するステップと、
上記第２のエアロゾル粒子上に、第１のエアロゾルのコーティングを有する、コーティングされたエアロゾル粒子を形成するために、上記第１のエアロゾルを上記第２のエアロゾルの粒子にオンザフライで衝突させるように上記音響コータに音響場を提供するステップとを有することを特徴とする、上記方法。
【請求項２】
上記コーティング材料がＭＡＬＤＩマトリックス溶液を有する、請求項１に記載の方法。
【請求項３】
上記ＭＡＬＤＩマトリックス溶液が、上記検体粒子を染色するための染色剤を有する、請求項２に記載の方法。
【請求項４】
上記ＭＡＬＤＩマトリックス溶液が、２，５−ジヒドロキシ安息香酸、α−シアノ−４−ヒドロキシ桂皮酸、３，５−ジメトキシ−４−ヒドロキシ桂皮酸、２−メルカプト−４，５−ジヒドロキシ安息香酸、１，８−ジヒドロキシアントラセン−９（１０Ｈ）−オン、３−メトキシ−４−ヒドロキシ桂皮酸、２，４，６−トリヒドロキシアセトフェノン、２−（４−ヒドロキシフェニルアゾ）−安息香酸、トランス−３−インドールアクリル酸、４−ヒドロキシ−３−メトキシ安息香酸、６−アザ−２−チオチミン、２−アミノ−４−メチル−５−ニトロピリジン、４−ニトロアニリン、１，５−ジアミノナフタレン、５−フルオロサリチル酸、５−クロロサリチル酸、５−ブロモサリチル酸、５−ヨードサリチル酸、５−メチルサリチル酸、５−アミノサリチル酸、および１，８−ジアミノナフタレンのうちの少なくとも１つを有する、請求項２に記載の方法。
【請求項５】
上記ＭＡＬＤＩマトリックス溶液が、アセトニトリル、水、エタノール、メタノール、プロパノール、アセトン、クロロホルム、イソプロピルアルコール、テトラヒドロフラン、トルエン、塩酸、トリフルオロ酢酸、ギ酸、および酢酸のうちの少なくとも１つを有する、請求項２に記載の方法。
【請求項６】
上記音響コータに入る前に、上記第１のエアロゾルが上記第２のエアロゾルと混合される混合ステップをさらに有する、請求項１に記載の方法。
【請求項７】
エアロゾルの堆積を低減または排除するために、混合ステップ中にシース流体を付加する、請求項６に記載の方法。
【請求項８】
上記被覆された第２のエアロゾル粒子を乾燥させる乾燥ステップをさらに有する、請求項１に記載の方法。
【請求項９】
上記サンプリングされたエアロゾルが、呼気粒子、および、周囲空気から収集されるエアロゾルの少なくとも１つを有する、請求項１に記載の方法。
【請求項１０】
検体粒子を含有するサンプリングされたエアロゾルをＭＡＬＤＩマトリックス溶液でコーティングするためのデバイスであって、
液体粒子の第１のエアロゾルを形成するためにＭＡＬＤＩマトリックス溶液をエアロゾル化するための噴霧器と、
上記噴霧器と流体連通し、上記第１のエアロゾルおよび検体粒子を含有するサンプリングされたエアロゾルを受け取るように構成された音響コータとを有し、
上記音響コータに音響場を印加して、上記第１のエアロゾルが、上記サンプリングされたエアロゾル中の上記検体粒子に衝突して、上記検体粒子上に、上記第１のエアロゾルのコーティングを有する、コーティングされたエアロゾル粒子を形成することを特徴とする、上記デバイス。
【請求項１１】
混合チャンバをさらに有し、上記第１のエアロゾルは、上記音響コータに入る前に上記検体粒子を含有するサンプリングされたエアロゾルと混合される請求項１０に記載のデバイス。
【請求項１２】
サンプルされたエアロゾル粒子をコーティング材料でコーティングする方法であって、
個体粒子および個体粒子の混合物の少なくとも一方を有するコーティング材料をエアロゾル化して第１のエアロゾルを形成するステップと、
検体粒子を含有するサンプリングされたエアロゾルを提供して第２のエアロゾルを形成するステップと、
上記第１のエアロゾルおよび上記第２のエアロゾルを受け取るための音響コータを提供するステップと、
上記第１のエアロゾルを上記第２のエアロゾルの粒子に衝突させて上記第２のエアロゾルの粒子上に、上記第１のエアロゾルのコーティングを有する、コーティングされたエアロゾル粒子を形成するように上記音響コータに音響場を提供するステップとを有することを特徴とする、上記方法。
【請求項１３】
上記固体粒子が、１マイクロメートル未満の粒子サイズの金属粉末を有する、請求項１２に記載の方法。
【請求項１４】
液体試料中の検体粒子をコーティングするための方法であって、
コーティング材料をエアロゾル化して、液体粒子を有する第１のエアロゾルを形成するステップと、
液体サンプルをエアロゾル化して検体粒子を有する第２のエアロゾルを形成するステップと、
上記第１のエアロゾルおよび上記第２のエアロゾルを受け取るための音響コータを提供するステップと、
上記第１のエアロゾルを上記第２のエアロゾルの粒子にオンザフライで衝突させて上記検体粒子上に、第１のエアロゾルのコーティングを有する、コーティングされたエアロゾル粒子を形成するように上記音響コータに音響場を提供するステップとを有することを特徴とする、上記方法。
【請求項１５】
上記コーティング材料がＭＡＬＤＩマトリックス溶液を有する、請求項１４に記載の方法。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
マスキング材コーティング、および１つ以上の結合剤を付着することを目的とした複数の離散反応ゾーンを備える基板であって、前記ゾーンは前記基板上のコーティングされていない領域であり、前記マスキング材が１又は複数の樹脂を含み及び６０〜１２０°の接触角を有する、前記基板。
【請求項２】
前記基板が、１００ｍｍ×９９ｍｍの大きさであり、かつ、前記基板が、９ｍｍ×９ｍｍの大きさである四角形小区分を備え、各四角形小区分は離散反応ゾーンの格子を備え、及び前記各四角形小区分が、５×５、１０×１０、２０×２０、または３０×３０の格子の離散反応ゾーンを備える、請求項１に記載の基板。
【請求項３】
前記離散反応ゾーンの密度が０．０８〜１５ゾーン／ｍｍ２の範囲である、請求項１又は２に記載の基板。
【請求項４】
前記離散反応ゾーンの密度が０．２〜１３ゾーン／ｍｍ２の範囲である、請求項３に記載の基板。
【請求項５】
各離散反応ゾーンが、０．１ｍｍ〜１ｍｍの範囲の直径を有する、請求項１〜４のいずれかに記載の基板。
【請求項６】
前記離散反応ゾーン上に固定された１つ以上の結合剤を備える請求項１〜５のいずれかに記載の基板。
【請求項７】
前記基板が、シリコン、金属酸化物、セラミック、ガラスまたはプラスチックを含む、請求項１〜６のいずれかに記載の基板。
【請求項８】
前記基板が、セラミック、ガラスまたはプラスチックである、請求項７に記載の基板。
【請求項９】
前記基板が白色セラミック基板である、請求項７又は８に記載の基板。
【請求項１０】
前記接触角が９０〜１２０°である、請求項１〜９のいずれかに記載の基板。
【請求項１１】
前記基板に塗布された前記コーティングの厚さが、２〜５０μｍ（ミクロン）厚である、請求項１〜１０のいずれかに記載の基板。
【請求項１２】
前記マスキング材コーティングが、オフホワイト〜黒色の範囲の色である、請求項１〜１１のいずれかに記載の基板。
【請求項１３】
前記離散反応ゾーンを化学的に活性化して結合剤の固定を可能とする、請求項１〜１２のいずれかに記載の基板。
【請求項１４】
前記マスキング材が、色素を含む、請求項１〜１３のいずれかに記載の基板。
【請求項１５】
前記色素が、カーボンブラック色素である、請求項１４に記載の基板。
【請求項１６】
前記マスキング材が、アクリル樹脂を含む、請求項１〜１５のいずれかに記載の基板。
【請求項１７】
前記マスキング材が、エポキシ樹脂を含む、請求項１〜１６のいずれかに記載の基板。
【請求項１８】
マスキング材コーティング、および１つ以上の結合剤を付着することを目的とした複数の離散反応ゾーンを備える基板であって、前記ゾーンは前記基板上のコーティングされていない領域であり、前記マスキング材が、色素、アクリル樹脂、エポキシ樹脂および構造剤を含む、前記基板。
【請求項１９】
前記色素が、前記マスキング組成物の１〜８％（ｗ／ｗ）の量で存在し；
前記エポキシ樹脂が、前記マスキング組成物の１５〜５０％（ｗ／ｗ）の量で存在し；
前記アクリル樹脂が、前記マスキング組成物の２〜１０％（ｗ／ｗ）の量で存在し；
前記構造剤が、前記マスキング組成物の１５〜５０％（ｗ／ｗ）の量で存在する、
請求項１８に記載の基板。
【請求項２０】
前記色素が、前記マスキング組成物の５％（ｗ／ｗ）の量で存在し；
前記エポキシ樹脂が、前記マスキング組成物の３０％（ｗ／ｗ）の量で存在し；
前記アクリル樹脂が、前記マスキング組成物の１０％（ｗ／ｗ）の量で存在し；
前記構造剤が、前記マスキング組成物の２０％（ｗ／ｗ）の量で存在する、
請求項１８または１９に記載の基板。
【請求項２１】
前記色素が、黒色色素である、請求項１９又は２０に記載の基板。
【請求項２２】
マスキング材コーティング、および１つ以上の結合剤を付着することを目的とした複数の離散反応ゾーンを備える基板であって、前記ゾーンは前記基板上のコーティングされていない領域であり、前記マスキング材が１又は複数の樹脂を含み、基板に塗布された前記コーティングの厚さが２〜５０μｍ厚である、前記基板。
【請求項２３】
前記結合剤が、抗体である、請求項１〜２２の何れかに記載の基板。
【請求項２４】
前記マスキング材がシリコンを含まない、請求項１〜２３の何れかに記載の基板。
【手続補正書】
【提出日】令和1年11月13日(2019.11.13)
【手続補正１】
【補正対象書類名】明細書
【補正対象項目名】０１２２
【補正方法】変更
【補正の内容】
【０１２２】
上記の実施形態のある特徴を本明細書に記載のように説明してきたが、当業者は多くの修正、置き換え、変更、均等物を思い浮かべるであろう。従って、添付の特許請求の範囲は、実施形態の範囲内にあるものとしてそのような修正及び変更の全てを網羅することが意図されていると理解すべきである。それらは、限定としてではなく一例としてのみ提示されており、形態及び詳細の種々の変更を行ってもよいと理解すべきである。本明細書に記載の装置及び/又は方法の任意の部分は、相互排他的な組み合わせを除いて、任意の組み合わせで組み合わせてもよい。本明細書に記載の実施形態は、記載された異なる実施形態の機能、構成要素、及び/又は特徴の種々の組み合わせ及び/又は2次的組み合わせを含んでもよい。
本件出願は、以下の構成の発明を提供する。
（構成１）
レーザーを備える第1のスキャニングメカニズムを使用した、物体の第1のエリアの第1のスキャンに基づいて、第1のデータセットを定義すること;
第2のスキャニングメカニズムを使用した、該物体の第2のエリアの第2のスキャンに基づいて、第2のデータセットを定義することであって、該物体の該第1のエリアが該物体の該第2のエリアと交差し、該第2のスキャンが、該第1のスキャンが実施される期間と重複する期間中に実施される、該定義すること;
該第1のデータセットに基づいて、該レーザーの方向に沿った該物体の速度、該レーザーの該方向と直交する第1の軸を中心とした該物体の第1の回転速度、及び該レーザーの該方向と直交する第2の軸を中心とした該物体の第2の回転速度を計算することであって、該第1の軸が該第2の軸とは異なる、該計算すること;
該第2のデータセットのサブセットを定義すること;
該第2のデータセットの該サブセットを、再サンプリング済みサブセットデータセットとして再サンプリングすること;
該第1のデータセット及び該再サンプリング済みサブセットデータセットに基づいて運動補正を推定すること;並びに、
該運動補正に基づいて該第1のデータセットと該第2のデータセットとのうちの少なくとも一方を修正すること
を含む方法。
（構成２）
前記第1のデータセットの少なくとも一部を、再サンプリング済み第1のデータセットとして再サンプリングすることをさらに含み、前記運動補正を推定することが、該再サンプリング済み第1のデータセット及び前記再サンプリング済みサブセットデータセットに基づく、構成1記載の方法。
（構成３）
前記計算することが、前記第1のデータセット及び前記第2のデータセットからの速度情報に基づく、構成1記載の方法。
（構成４）
前記第1のスキャンが第1のパターンに基づき、前記第2のスキャンが、該第1のパターンとは異なる第2のパターンに基づく、構成1記載の方法。
（構成５）
前記第1のパターンが、前記第2のパターンが整合される方向と直交する方向に沿って整合される、構成4記載の方法。
（構成６）
前記第1のデータセットの前記少なくとも一部を再サンプリングすること、及び前記第2のデータセットの前記サブセットを再サンプリングすることが、共通の座標系に基づく、構成1記載の方法。
（構成７）
前記推定することが、前記第1のデータセットの前記少なくとも一部を再サンプリングすること及び前記第2のデータセットの前記サブセットを再サンプリングすることが実施される平面と実質的に直交する方向に沿ったデータポイントの比較に基づいて実施される、構成1記載の方法。
（構成８）
前記サブセットが第1のサブセットであり、前記第2のデータセットの該第1のサブセットを定義することが第1の反復中に実施され、該第2のデータセットが、運動補正を使用して修正されたデータポイントを含み、
第2の反復中に、該修正されたデータポイントを含む該第2のデータセットの第2のサブセットを定義することをさらに含む、構成1記載の方法。
（構成９）
前記運動補正が、前記レーザーの前記方向と直交する方向に沿った前記物体の速度に関連する、構成1記載の方法。
（構成１０）
前記運動補正が、前記レーザーの前記方向とそれぞれ直交する複数の方向に沿った前記物体の速度に関連する、構成1記載の方法。
（構成１１）
前記運動補正が、前記レーザーの前記方向に沿った前記物体の回転に関連する、構成1記載の方法。
（構成１２）
第1のパターンに基づいて物体の第1のスキャンを実施するように構成されたレーザーを備える第1のスキャニングメカニズムと;
該第1のパターンとは異なる第2のパターンに基づいて該物体の第2のスキャンを実施するように構成された第2のスキャニングメカニズムと;
該第1のスキャンに基づく第1のデータセット、及び該第2のスキャンに基づく第2のデータセットのサブセットを定義するように構成されたデータセットモジュールと;
該第1のデータセットの少なくとも一部、及び該第2のデータセットの該サブセットを再サンプリングするように構成された再サンプリングモジュールと;
該第1のデータセットの該少なくとも一部、及び該第2のデータセットの該サブセットの該再サンプリングに基づいて、運動補正を推定するように構成された補正モジュールと
を備える装置。
（構成１３）
前記第1のスキャンが、前記第2のスキャンに関連する前記物体の第2のエリアと交差する該物体の第1のエリアに関連する、構成13記載の装置。
（構成１４）
前記第1のスキャンが、前記第2のスキャンが実施される期間と重複する期間中に実施される、構成13記載の装置。
（構成１５）
前記第1のデータセットの前記少なくとも一部、及び前記第2のデータセットの前記サブセットの前記再サンプリングが、共通の座標系に基づく、構成13記載の装置。
（構成１６）
前記第1のデータセットの前記少なくとも一部の前記再サンプリングの前に、該第1のデータセットが、z方向の速度と、x軸を中心とした回転速度と、y軸を中心とした回転速度とを含む初期運動推定値を使用して補正される、構成13記載の装置。
（構成１７）
レーザーを備える第1のスキャニングメカニズムを使用した、かつ第1のパターンに基づく、物体の第1のエリアの第1のスキャンに基づいて、第1のデータセットを定義すること;
第2のスキャニングメカニズムを使用した、かつ該第1のパターンとは異なる第2のパターンに基づく、該物体の第2のエリアの第2のスキャンに基づいて、第2のデータセットを定義することであって、該物体の該第1のエリアが該物体の該第2のエリアと交差する、該定義すること;並びに、
該第1のデータセットと該第2のデータセットのサブセットとの比較に基づいて、該レーザーの方向と直交する第1の方向に沿った該物体の速度、該レーザーの該方向と直交する第2の方向に沿った該物体の速度、及び該レーザーの該方向に沿った該物体の回転を推定すること
を含む方法。
（構成１８）
前記推定することが、相互に排他的な時間ウィンドウ内で反復的に実施される、構成19記載の方法。
（構成１９）
前記推定することが、前記第2のデータセットの異なるサブセットを使用して反復的に実施される、構成19記載の方法。
（構成２０）
前記推定することが、前記第1のデータセットと前記第2のデータセットの前記サブセットとの間の位置合わせに基づく、構成19記載の方法。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
データ入力部と、
組織マイクロアレイ分析ユニットと、
出力部とを備える、組織検査のための装置であって、
前記データ入力部は、組織サンプルブロックを薄片化することによって得られたサンプルスライスである参照スライスの参照画像を受け取り、少なくとも前記組織サンプルブロックから得られた少なくとも１つの組織コアを含むマイクロアレイスライスのマイクロアレイ画像を受け取り、前記参照画像及び前記マイクロアレイ画像を前記組織マイクロアレイ分析ユニットに供給し、
前記組織マイクロアレイ分析ユニットは、前記組織サンプルブロック内のそれぞれの前記組織コアの空間的配置に基づいて少なくとも１つの組織コアの組織コア画像を前記参照画像に位置合わせし、
前記出力部は、さらなる分析目的のために前記組織マイクロアレイ分析ユニットから得られた位置合わせ結果を供給する、
組織検査のための装置。
【請求項２】
前記組織マイクロアレイ分析ユニットは、位置合わせされた前記組織コア画像の形態学的情報に基づいて前記位置合わせされた組織コア画像内の注目する少なくとも一つの特徴を識別し、前記形態学的情報に基づいて前記参照画像の周辺区域における一致する特徴を認識し、前記周辺区域は前記位置合わせされた組織コア画像を囲み、前記特徴の染色パターンが前記位置合わせされた組織コア画像の周囲を通って、及び越えて続くように、前記位置合わせされた組織コア画像内の注目する前記特徴の前記染色パターンを前記周辺区域における前記一致する特徴中に伸展させる、請求項１に記載の組織検査のための装置。
【請求項３】
画像供給装置と、
請求項１又は２に記載の組織検査のための装置とを備える、組織検査のためのシステムであって、
前記画像供給装置は、組織サンプルブロックから得られた参照スライスの参照画像を供給し、少なくとも前記組織サンプルブロックから得られた、少なくとも１つの組織コアを含むマイクロアレイスライスのマイクロアレイ画像を供給し、前記組織検査のための装置に前記参照画像及び前記マイクロアレイ画像を供給する、
システム。
【請求項４】
前記システムは、ディスプレイをさらに備え、
前記ディスプレイは、分析目的のために、前記位置合わせされた組織コア画像を前記参照画像と組み合わせて表示する、
請求項３に記載のシステム。
【請求項５】
ａ）組織サンプルブロックを薄片化することによって得られたサンプルスライスである参照スライスの参照画像を供給するステップと、
ｂ）少なくとも前記組織サンプルブロックから得られた少なくとも１つの組織コアを含むマイクロアレイスライスのマイクロアレイ画像を供給するステップと、
ｃ）前記組織サンプルブロック内のそれぞれの前記組織コアの空間的配置に基づいて前記少なくとも１つの組織コアの組織コア画像を前記参照画像と位置合わせするステップと、
ｄ）分析目的のために、前記参照画像と組み合わせて、位置合わせされた前記組織コア画像を供給するステップと、
を有する、
組織検査のための方法。
【請求項６】
ステップａ）に対して、
ａ１）前記組織サンプルブロックから前記参照スライスを生成するステップと、
ａ２）前記参照スライスから画像を前記参照画像として生成するステップと、
が提供され、
及び／又は、
ステップｂ）に対して、
ｂ１）ブロック構造内に配置された少なくとも１つの組織コアを含むマイクロアレイブロックを作り出すステップと、
ｂ２）前記マイクロアレイブロックの少なくとも１つのマイクロアレイスライスを生成するステップと、
ｂ３）前記マイクロアレイスライスの画像を組織マイクロアレイ画像として生成するステップと、
が提供される、
請求項５に記載の方法。
【請求項７】
ステップｂ２）において、前記少なくとも１つのマイクロアレイスライスが染色され、
前記少なくとも１つのマイクロアレイスライスは、前記参照スライスと違うように染色される、
請求項６に記載の方法。
【請求項８】
ｆ）前記位置合わせされた組織コア画像の形態学的情報に基づいて、前記位置合わせされた組織コア画像内の注目する特徴を識別するステップと、
ｇ）前記形態学的情報に基づいて前記参照画像の周辺区域における一致する特徴を認識するステップであって、前記周辺区域はそれぞれの前記位置合わせされた組織コア画像を囲むステップと、
ｈ）前記特徴の染色パターンが前記それぞれの位置合わせされた組織コア画像の周囲を通って、及び越えて続くように、前記位置合わせされた組織コア画像内の注目する前記特徴の前記染色パターンを前記周辺区域における前記一致する特徴中に伸展させるステップと、
をさらに有する、
請求項５乃至７のいずれか一項に記載の方法。
【請求項９】
ステップｇ）は、
ｇ１）前記周辺区域における前記一致する特徴に品質指数を付与するステップと、
ｇ２）付与された前記品質指数に基づいて前記周辺区域の範囲を決定するステップと、
をさらに有する、請求項８に記載の方法。
【請求項１０】
前記一致する特徴中に伸展する前記染色パターンは、
前記付与された品質指数、及び／又は、
前記位置合わせされた組織コア画像からの距離、
に応じた透明度、及び／又は、強度を有する、請求項９に記載の方法。
【請求項１１】
少なくとも２つの組織コアが、異なる染色プロトコルで染色され、
ステップｃ）において、前記少なくとも２つの組織コアの前記組織コア画像が、前記参照画像と位置合わせされる、
請求項５乃至１０のいずれか一項に記載の方法。
【請求項１２】
ｂ４）マイクロアレイブロックから得られたさらなるマイクロアレイスライスのさらなるマイクロアレイ画像を供給するステップであって、
前記さらなるマイクロアレイスライスは前記マイクロアレイスライスと異なるように染色されるステップと
ｃ１）前記さらなるマイクロアレイ画像の前記少なくとも１つの組織コアのさらなる組織コア画像を前記参照画像と位置合わせするステップと、
をさらに有する、請求項５乃至１１のいずれか一項に記載の方法。
【請求項１３】
ステップｃ１）において、前記さらなる組織コア画像が、以前に位置合わせされた組織コア画像のうちの少なくとも１つに基づいて位置合わせされる、請求項１２に記載の方法。
【請求項１４】
処理ユニットによって実行されたとき、請求項５乃至１３のいずれか一項に記載の方法のステップを実行する、請求項１若しくは２に記載の組織検査のための装置又は請求項３若しくは４に記載のシステムを制御する、コンピュータプログラム。
【請求項１５】
請求項１４に記載のコンピュータプログラムを格納した、コンピュータ可読媒体。
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
コード化パターンプロジェクタ装置であって、
ａ）  複数の発光体を含む発光体の面発光アレイを備え、前記複数の発光体の各々は、前記複数の発光体の各々の各自の電気入力に印加される電気駆動信号に応答して複数の光ビームの１本を発生させ、前記コード化パターンプロジェクタ装置はさらに、
ｂ）  前記発光体の面発光アレイによって発生する前記複数の光ビームの光路内に位置決めされる第１の光学素子を備え、前記第１の光学素子は、前記発光体の面発光アレイによって発生する前記複数の光ビームの各々を投影し、前記コード化パターンプロジェクタ装置はさらに、
ｃ）  前記複数の光ビームの前記光路内に位置決めされる第２の光学素子を備え、前記第２の光学素子は、前記複数の光ビームが少なくとも１つのストライプパターンを形成するように、第１の次元において前記複数の光ビームをコリメートし、第２の次元において前記複数の光ビームを発散させ、前記コード化パターンプロジェクタ装置はさらに、
ｄ）  複数の電気出力を有するコントローラを備え、前記複数の電気出力の各々は前記複数の発光体の各々の各自の電気入力に接続され、前記コントローラは、所望のコード化ストライプパターンを生成する所望の電気駆動信号を発生させる、コード化パターンプロジェクタ装置。
【請求項２】
前記第２の光学素子は、前記複数の光ビームの前記光路内の前記第１の光学素子の後に位置決めされる、請求項１に記載のコード化パターンプロジェクタ装置。
【請求項３】
前記第１の光学素子は、前記複数の光ビームの前記光路内の前記第２の光学素子の後に位置決めされる、請求項１に記載のコード化パターンプロジェクタ装置。
【請求項４】
前記複数の発光体の少なくとも３つは、前記少なくとも１つのストライプパターンの少なくとも１つが均一のストライプパターンを含むように、前記発光体の面発光アレイの１行を形成するように位置決めされる、請求項１に記載のコード化パターンプロジェクタ装置。
【請求項５】
前記複数の発光体の少なくともいくつかが、前記発光体の面発光アレイの１行目を形成するように位置決めされ、前記複数の発光体の少なくとも他のいくつかが、前記発光体の面発光アレイの２行目を形成するように位置決めされ、前記１行目および２行目は、前記ストライプパターンの少なくとも２つが合体するようにオフセットしている、請求項１に記載のコード化パターンプロジェクタ装置。
【請求項６】
前記少なくとも１つのストライプパターンの各々を複製し、複製した各ストライプパターンを対応する角度で投影する第３の光学素子をさらに備える、請求項１に記載のコード化パターンプロジェクタ装置。
【請求項７】
前記発光体の面発光アレイと前記第１の光学素子との間に位置決めされるマイクロプリズムアレイをさらに備え、前記マイクロプリズムアレイは、各々が前記複数の発光体のうちの各自の発光体と整列している複数のマイクロ光学プリズム素子を含み、前記マイクロプリズムアレイは、前記複数の光ビームが前記第１の光学素子のアパーチャを通って伝播するように前記複数の光ビームを曲げる、請求項１に記載のコード化パターンプロジェクタ装置。
【請求項８】
コード化パターンプロジェクタ装置であって、
ａ）  複数の発光体を含む発光体の二次元面発光アレイを備え、前記複数の発光体の各々は、前記複数の発光体の各々の各自の電気入力に印加される電気駆動信号に応答して光ビームを発生させ、前記複数の発光体によって発生する前記光ビームは光ビームの二次元パターンを形成し、前記コード化パターンプロジェクタ装置はさらに、
ｂ）  前記発光体の二次元面発光アレイによって発生する複数の光ビームの光路内に位置決めされる第１の光学素子を備え、前記第１の光学素子は前記光ビームの二次元パターンを投影し、前記コード化パターンプロジェクタ装置はさらに、
ｃ）  前記発光体の二次元面発光アレイによって発生する前記複数の光ビームの前記光路内に位置決めされる第２の光学素子を備え、前記第２の光学素子は前記光ビームの二次元パターンを複製することによって複数の二次元光ビームパターンを発生させ、前記複数の二次元光ビームパターンは各自の角度で投影されて、複製された二次元パターンを生成し、前記コード化パターンプロジェクタ装置はさらに、
ｄ）  複数の電気出力を有するコントローラを備え、前記複数の電気出力の各々は前記複数の発光体の各々の各自の電気入力に接続され、前記コントローラは、所望のコード化され複製された二次元パターンを生成する所望の電気駆動信号を発生させる、コード化パターンプロジェクタ装置。
【請求項９】
前記複数の二次元光ビームパターンは、オーバーラップしていない複製された二次元パターンを生成する各自の角度で投影される、請求項８に記載のコード化パターンプロジェクタ装置。
【請求項１０】
前記複数の二次元光ビームパターンは、前記光ビームの二次元パターンのサイズの１／４だけオフセットしている複製された二次元パターンを生成する各自の角度で投影される、請求項８に記載のコード化パターンプロジェクタ装置。
【手続補正書】
【提出日】令和1年10月17日(2019.10.17)
【手続補正１】
【補正対象書類名】明細書
【補正対象項目名】００９３
【補正方法】変更
【補正の内容】
【００９３】
本明細書中に言及された全ての特許及び刊行物は、各々の独立した特許及び刊行物が具体的かつ個別的に参照により組み込まれていることが示されているかのように、同じ程度に、参照により本明細書に組み込まれている。
本件出願は、以下の構成の発明を提供する。
（構成１）
癌患者における疾患の不均一性を検出する方法であって、
(a) 該患者から取得した血液試料中の有核細胞の、免疫蛍光染色及び形態的特性評価を含む直接的分析を実施して、循環腫瘍細胞（CTC）を同定し、かつ計数すること；
(b) 該試料から該CTCを単離すること；
(c) ゲノムパラメータを個別に特徴づけて、該CTCの各々に対するゲノムプロファイルを作成すること；及び
(c) 該プロファイルに基づいて該癌患者における疾患の不均一性を決定すること、を含む、前記方法。
（構成２）
前記癌が、前立腺癌である、構成1記載の方法。
（構成３）
前記前立腺癌が、ホルモン不応性である、構成2記載の方法。
（構成４）
前記有核細胞の免疫蛍光染色が、汎サイトケラチン、表面抗原分類（CD）45、及びジアミジノ-2-フェニルインドール（DAPI）を含む、構成1〜3のいずれか1項記載の方法。
（構成５）
前記ゲノムパラメータが、コピー数多型（CNV）特徴を含む、構成1〜4のいずれか1項記載の方法。
（構成６）
前記コピー数多型（CNV）特徴が、遺伝子の増幅又は欠失を含む、構成5記載の方法。
（構成７）
前記CNV特徴が、アンドロゲン非依存的細胞成長と関連する遺伝子を含む、構成6記載の方法。
（構成８）
前記欠失が、ホスファターゼ・テンシン・ホモログ遺伝子（PTEN）の喪失を含む、構成6記載の方法。
（構成９）
前記遺伝子の増幅が、AR遺伝子の増幅を含む、構成6記載の方法。
（構成１０）
前記ゲノムパラメータが、ゲノム不安定性を含む、構成1〜4のいずれか1項記載の方法。
（構成１１）
前記ゲノム不安定性が、大規模トランジション（LST）を測定することによって特徴づけられる、構成10記載の方法。
（構成１２）
前記ゲノム不安定性がゲノム変化率（PGA）を測定することによって特徴づけられる、構成10記載の方法。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
対象から血液を収集および保存する方法であって、
（ａ）サンプル獲得およびサンプル安定化一体型デバイスを取得することであって、前記デバイスは、（ｉ）皮膚を貫通して血液を露出させるように構成された１つ以上の穿刺要素を含むサンプル獲得構成要素；  および（ｉｉ）前記血液を収集および保存するための複数の紙安定化マトリックスを含み、複数の紙安定化マトリックスは互いに接触しないことと、
（ｂ）前記対象の皮膚に前記デバイスを適用すること、
（ｃ）前記サンプル獲得構成要素を起動させ、前記１つ以上の穿刺要素を前記対象の皮膚に貫通させ、前記血液を露出させることと、
（ｄ）前記血液を前記サンプル獲得構成要素の開口部からチャネルを通して、互いに接触しない複数の前記紙安定化マトリックス上に移動させ、それにより前記血液を収集および保存すること、
を含む方法。
【請求項２】
前記血液を、前記サンプル獲得構成要素の前記開口部から前記チャネルを通して、互いに接触しない複数の紙安定化マトリックス上に移動させることが真空によって生じる、請求項１に記載の方法。  
【請求項３】
ステップ（ｃ）に続いて、真空下で前記１つ以上の前記穿刺要素を引き込み、前記血液を前記サンプル獲得構成要素の前記開口部に入れることをさらに含む、請求項１または２に記載の方法。
【請求項４】
ステップ（ｄ）が１００μｌを超える前記血液を動かすことを含む、請求項１から３のいずれか一項に記載の方法。
【請求項５】
前記１つ以上の穿刺要素が複数の穿刺要素を含む、請求項１から４のいずれか一項に記載の方法。
【請求項６】
前記１つ以上の穿刺要素がランセットである、請求項１から５のいずれか一項に記載の方法。
【請求項７】
前記１つ以上の穿刺要素が中実である、請求項１から５のいずれか一項に記載の方法。
【請求項８】
前記血液が毛細血管である、請求項１から７のいずれか一項に記載の方法。
【請求項９】
前記デバイスが使い捨てデバイスである、請求項１から８のいずれか一項に記載の方法。
【請求項１０】
前記複数の紙安定化マトリックスが、セルロース、酢酸セルロース、ガラス繊維、またはそれらの組み合わせを含む、請求項１から９のいずれか一項に記載の方法。
【請求項１１】
前記血液が５００μＬ未満の容積を含む、請求項１から１０のいずれか一項に記載の方法。
【請求項１２】
前記穿刺要素で前記対象を穿刺する前に血流を誘発することをさらに含む、請求項１から１１のいずれか一項に記載の方法。
【請求項１３】
前記サンプル獲得およびサンプル安定化一体型デバイスから、前記血液を含む前記複数の紙安定化マトリックスを除去することをさらに含む、請求項１から１２のいずれか一項に記載の方法。
【請求項１４】
前記血液を含む前記複数の紙安定化マトリックスのうちの少なくとも１つからの血液に対してアッセイを実施することをさらに含む、請求項１３に記載の方法。
【請求項１５】
前記血液を含む前記複数の紙安定化マトリックスの少なくとも１つから血液中のＤＮＡ、ＲＮＡ、またはタンパク質を溶出することをさらに含む、請求項１３または１４に記載の方法。
【請求項１６】
前記アッセイが、前記デバイスを使用して前記血液が収集される場所とは異なる場所で実行される、請求項１４または１５に記載の方法。
【請求項１７】
前記チャネルがマイクロチャネルを含む、請求項１から１６のいずれか一項に記載の方法。
【請求項１８】
前記サンプル獲得構成要素の前記開口部からチャネルを通って前記複数の紙安定化マトリックス上に血液を移動させることは、自然発生の毛細管力、吸収材料を介するウィッキング、またはそれらの組み合わせによって生じる、請求項１から１７のいずれか一項に記載の方法。
【請求項１９】
前記穿刺要素がばねに接続されている、請求項１から１８のいずれか一項に記載の方法。  
【請求項２０】
前記血液が前記複数の紙安定化マトリックスによって吸収される、請求項１から１９のいずれか一項に記載の方法。
【請求項２１】
前記起動することが、手動起動を含む、請求項１から２０のいずれか一項に記載の方法。
【請求項２２】
前記複数の紙安定化マトリックスが前記デバイスから取り外し可能である、請求項１から２１のいずれか一項に記載の方法。
【請求項２３】
前記複数の紙安定化マトリックスが使い捨て可能である、請求項１から２２のいずれか一項に記載の方法。
【請求項２４】
１５℃から４０℃の範囲の温度で、ステップｄ）の前記血液を含む前記複数の紙安定化マトリックスを保存することをさらに含む、請求項１から２３のいずれか一項に記載の方法。
【請求項２５】
工程ｄ）の前記血液を含む前記複数の紙安定化マトリックスを少なくとも１週間保存することをさらに含む、請求項１から２４のいずれか一項に記載の方法。
【請求項２６】
前記複数の紙安定化マトリックスが紙カードを含む、請求項１から２５のいずれか一項に記載の方法。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
廃ガスを処理する処理装置であって、
燃焼チャンバを有し、
バーナを有し、
二次燃焼用空気を受け入れる入口を有し、
排気ガスを前記燃焼チャンバから出力する排気ガス出口を有し、
第１および第２の流体流路をそれぞれ通って流れる第１の流体と第２の流体との間で熱を交換する熱交換器を有し，前記第１の流体流路は、前記二次燃焼用空気が前記入口から前記第１の流体流路中に流れるよう前記入口に連結され、前記第２の流体流路は、前記出口のところで受け入れられた前記排気ガスが前記第２の流体流路中に流れるよう前記出口に連結され、
前記熱交換器は、前記第２の流体から前記第１の流体中への前記排気ガスの一部分の流れのための経路となる流体流れ連通経路を有し、
前記第１の流体を前記燃焼チャンバに入力するための少なくとも１つの入口孔を有する、処理装置。
【請求項２】
前記流体流れ連通経路は、前記第１の流体への前記第２の流体の所定の量および比率のうちの少なくとも一方を提供するよう構成されている、請求項１記載の処理装置。
【請求項３】
前記流体流れ連通経路は、前記第２の流体流路から前記第１の流体流路内のベンチュリ中に延びる較正流れ入口を有する、請求項１または２記載の処理装置。
【請求項４】
前記ベンチュリは、前記較正流れ入口に向いていて増大した圧力状態にあるガスを受け入れるよう洗浄モードで動作可能な入口を有し、前記増大した圧力状態にあるガスは、前記較正流れ入口から粒子を取り除くよう作用する、請求項３記載の処理装置。
【請求項５】
前記第１の流体流路は、複数の管を有し、前記第２の流体流路は、別の管を有し、前記複数の管は、前記別の管内に位置している、請求項１〜４のうちいずれか一に記載の処理装置。
【請求項６】
前記複数の管は、前記別の管内に配置された内側管に連結されていて、前記第１の流体は、前記複数の管から前記内側管に流れ、前記複数の入口孔は、前記内側管の内面上に位置する、請求項５記載の処理装置。
【請求項７】
前記燃焼チャンバおよび前記熱交換器の周りに配置された冷却ジャケットを有し、前記冷却ジャケットは、冷却用流体の流れを受け入れるよう構成され、前記熱交換器は、前記排気ガス流れが前記熱交換器の外周周りの異なる配置場所に配置された複数の出力孔のところで前記冷却ジャケット内の前記冷却用流体に出力されるよう構成されている、請求項１〜６のうちいずれか一に記載の処理装置。
【請求項８】
前記複数の出力孔は、前記別の管の円周方向外面周りに配置されている、請求項５または６に従属した請求項７記載の処理装置。
【請求項９】
前記別の管は、一端部で前記排気ガスを受け入れるよう構成され、前記複数の出力孔は、前記別の管の他端部寄りに配置されている、請求項８記載の処理装置。
【請求項１０】
前記複数の出力孔は、前記別の管の前記外面の周囲に沿って螺旋状に配置されている、請求項８または９記載の処理装置。
【請求項１１】
前記少なくとも１つの入口孔は、前記燃焼チャンバの外面の長さに沿って複数のリングの状態に配置された複数の入口孔を含む、請求項１〜１０のうちいずれか一に記載の処理装置。
【請求項１２】
前記少なくとも１つの孔は、前記燃焼チャンバの長さに沿って変化するサイズを有する複数の入口孔を含む、請求項１〜１１のうちいずれか一に記載の処理装置。
【請求項１３】
前記少なくとも１つの入口孔は、前記孔と関連した流体偏向要素を有する、請求項１〜１２のうちいずれか一に記載の処理装置。
【請求項１４】
前記偏向要素は、前記対応の入口孔によって出力された流体を偏向させて前記バーナから遠ざけるよう構成されている、請求項１３記載の処理装置。
【請求項１５】
前記バーナは、直火バーナを含む、請求項１〜１４のうちいずれか一に記載の処理装置。
【請求項１６】
前記バーナは、複数のバーナヘッドを有する、請求項１〜１５のうちいずれか一に記載の処理装置。
【請求項１７】
前記排気ガス出口は、前記バーナとは反対側の前記燃焼チャンバの端部のところに位置している、請求項１〜１６のうちいずれか一に記載の処理装置。
【請求項１８】
燃焼チャンバ内のバーナを用いて廃ガスを処理する方法であって、前記方法は、
入口のところで二次燃焼用空気を受け入れるステップを含み、
前記二次燃焼用空気を熱交換器内の第１の流体流路に通して、第１および第２の流体流路をそれぞれ通って流れる第１の流体と第２の流体との間で熱を交換するステップを含み、
前記燃焼チャンバからの排気ガスを前記熱交換器内の前記第２の流体流路に通すステップを含み、前記熱交換器は、前記熱交換器を通って流れている前記第２の流体の一部分が前記第１の流体中に流れるよう前記第１の流体と前記第２の流体との間に位置する流れ連結経路を有し、
前記第１の流体を少なくとも１つの孔から前記燃焼チャンバに入力するステップを含む、方法。
【請求項１９】
前記熱交換器は、前記燃焼チャンバの周りに配置されている、請求項１〜１７のうちいずれか一に記載の処理装置。
【手続補正書】
【提出日】令和1年9月5日(2019.9.5)
【手続補正１】
【補正対象書類名】明細書
【補正対象項目名】００２４
【補正方法】変更
【補正の内容】
【００２４】
測定された酸素量は、試験片１２における漏洩箇所１６に由来する吸入ガス流中の二酸化炭素量の検出ではなく、むしろ酸素の燃焼から生じる吸入ガス流中の二酸化炭素量を検出するために使用される。
なお、本発明は、実施の態様として以下の内容を含む。
〔態様１〕
少なくとも一定量の二酸化炭素を含む無酸素試験ガスで加圧された試験片（１２）の周囲からのガス流において、漏洩検出器（１８）の嗅気型プローブ（２０）によって検出される前記試験ガス量の変動を検出する方法において、
周囲の空気中の酸素量を測定することを特徴とする方法。
〔態様２〕
態様１に記載の方法において、測定された前記酸素量を用いて、前記試験片（１２）における漏洩箇所から生じていない、前記周囲の空気中の二酸化炭素量を測定することを特徴とする方法。
〔態様３〕
態様１または２に記載の方法において、この測定を、前記試験片（１２）の周囲雰囲気（１４）の大気圧で行うことを特徴とする方法。
〔態様４〕
態様１から３のいずれか一態様に記載の方法において、前記嗅気型プローブ（２０）の前記ガス流中の前記酸素量、または、前記嗅気型プローブ（２０）に接続された前記漏洩検出器（１８）のガス搬送ポンプ（２２）の排気ガス流中の前記酸素量を測定することを特徴とする方法。
〔態様５〕
態様１から４のいずれか一態様に記載の方法において、吸入されたガス流に含まれ、前記試験片（１２）における漏洩箇所（１６）に由来しない前記試験ガスの量のオフセットｃ２（ｔ）を、下記式を用いて求めることを特徴とする方法。
【数３】
2018534558.tif 000001
ここで、ｃ０は、吸気中の二酸化炭素の定常オフセットであり、
ｃ１（ｔ）は、吸気中の二酸化炭素の時間依存性オフセット量であり、
ａは、測定された酸素濃度と、存在する二酸化炭素のオフセット濃度との間の比例定数であり、
ｂは、酸素プローブの前記酸素量に対する感度係数であり、
ΔＩ（ｔ）は、前記酸素プローブの測定信号における変化量である。
〔態様６〕
漏洩検出器（１８）の嗅気型プローブ（２０）を備える嗅気型漏洩検出置であって、
前記嗅気型プローブ（２０）が、試験ガスにより試験片（１２）周囲の雰囲気（１４）に対して加圧された前記試験片（１２）から前記雰囲気に漏出する前記ガスを取り込んで測定するためのガス搬送ポンプ（２２）を有し、
前記試験ガス（１２）が、無酸素で、かつ少なくとも一定量の二酸化炭素を含む、装置において、
前記嗅気型プローブ（２０）によって取り込まれた前記ガス流中の酸素量を測定するための酸素センサ（２８）が設けられたことを特徴とする装置。
〔態様７〕
態様６に記載の装置において、前記酸素センサがラムダプローブであることを特徴とする装置。
〔態様８〕
態様６に記載の装置において、前記酸素センサが、酸素分圧を検出するセンサ、特に、質量分析計であることを特徴とする装置。
〔態様９〕
態様６から８のいずれか一態様に記載の装置において、前記酸素センサが、前記嗅気型プローブ（２０）から流れる前記ガス流を測定するために前記ポンプ（２２）の上流に配置される構成とされるか、または、前記ガス搬送ポンプ（２２）の排気ガス流を測定するために前記ポンプ（２２）の下流に配置される構成とされていることを特徴とする装置。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
コンパクトなＵＶＢ光治療機器、とりわけ、白斑、アトピー性皮膚炎および乾癬の治療を意図したコンパクトなＵＶＢ光治療機器であって、
内包され組み込まれた光源（１）、
タイマーユニット（６）を伴う直列接続されたパワースイッチ（５）、および
少なくとも１つのＬＥＤ光源（２）、
を含み、
当該機器の電子部品はワイヤ（４）と接続されており、
波長が３１０ｎｍで、半値全幅が最大１０ｎｍで、光パワーが０．６から１ｍＷの放射を発する前記ＬＥＤ光源（２）が、前記光源であり、
前記ＬＥＤ光源（２）を覆う取外し可能なスペーサー（３）が、前記ＬＥＤ光源（２）の近傍に固定されている、
ことを特徴とするコンパクトなＵＶＢ光治療機器。
【請求項２】
前記ＬＥＤ光源（２）ダイオードの合計パワーが０．８ｍＷであることを特徴とする、請求項１記載のコンパクトなＵＶＢ光治療機器。
【請求項３】
前記スペーサー（３）の高さが、前記ＬＥＤ光源（２）近傍の覆いの表面から前記スペーサー（３）の外表面まで計測して、少なくとも０．５ｃｍの高さであることを特徴とする、請求項１または２記載のコンパクトなＵＶＢ光治療機器。
【請求項４】
前記光源を制御するタイマーが、０．５秒の精度で、好ましくは３００または６００秒に亘って、ＬＥＤ照明期間を設定することを可能にしていることを特徴とする、請求項１から３いずれか１項記載のコンパクトなＵＶＢ光治療機器。
【請求項５】
追加の可視光ＬＥＤ、好ましくは青色ＬＥＤが、ＵＶＢ光源の近くに取り付けられていることを特徴とする、請求項１から４いずれか１項記載のコンパクトなＵＶＢ光治療機器。
【請求項６】
前記追加の光ＬＥＤの観察用の前記ダイオードが、青色光を発することを特徴とする、請求項５記載のコンパクトなＵＶＢ光治療機器。
【請求項７】
追加のバッテリー充電または機器状態ダイオードが、電力供給源およびパワースイッチ回路に接続されていることを特徴とする、請求項１から５いずれか１項記載のコンパクトなＵＶＢ光治療機器。
【請求項８】
機器の回路が、前記ＬＥＤ光源（２）のＵＶＢダイオードと、照射領域の観察を可能とする前記追加の光ＬＥＤの可視光ダイオードとに、独立した電力供給を提供するように、当該機器のパワースイッチが２つとされていることを特徴とする、請求項１から７いずれか１項記載のコンパクトなＵＶＢ光治療機器。
【請求項９】
当該機器が、内蔵バッテリー、または少なくとも１Ａの充電器から、電力供給を受けていることを特徴とする、請求項１から８いずれか１項記載のコンパクトなＵＶＢ光治療機器。